(57)【要約】【課題】ホールド型ディスプレイにおけるぼけを低減するために１フレームの間に映像の出ない期間を設ける従来の技術において、映像の明るさの低減を解消するとともにフリッカの発生を減少させることができる画像処理回路を提供する。【解決手段】入力された１フレームの画像からｎフレーム（ｎは２以上の整数）の同一の画像を生成する。また１フレームの画像が入力される度に、複数の部分画像パターンを予め決められた所定の順番に選択する選択処理、または複数の部分画像パターンの中から１つの部分画像パターンをランダムに選択する処理であって同一の部分画像パターンが連続して選択される回数を所定回数に制限する選択処理を行う。そして、生成したｎフレームの画像それぞれに、選択した部分画像パターンに含まれる各部分画像を一画像ずつ順に合成し、それぞれを表示装置へ出力。【選択図】図１
2008064831.tif 000002
【特許請求の範囲】
【請求項１】
入力された１フレームの画像からｎフレーム（ｎは２以上の整数）の同一の画像を生成するフレーム倍速手段と、
前記１フレームの画像における異なる範囲にそれぞれが対応するｎ個の部分画像からなる部分画像パターンを複数記憶する部分画像パターン記憶手段と、
前記１フレームの画像が入力される度に、前記複数の部分画像パターンを予め決められた所定の順番に選択する選択処理、または前記複数の部分画像パターンの中から１つの部分画像パターンをランダムに選択する処理であって同一の部分画像パターンが連続して選択される回数を所定回数に制限する選択処理を行うパターン選択手段と、
前記生成したｎフレームの画像それぞれに、前記選択した部分画像パターンに含まれる各部分画像を一画像ずつ順に合成する部分画像合成手段と、
前記部分画像を合成したｎフレームの画像それぞれを表示装置へ出力する表示手段と、
を備えることを特徴とする画像処理回路。
【請求項２】
前記部分画像パターンは、
前記１フレームの画像を垂直方向にｎ分割した各領域を別々に示す各部分画像からなる部分画像パターンであって前記ｎ分割した各領域のうち最上部の領域を示す部分画像からその下の領域を示す部分画像へと順に、前記生成したｎフレームの画像それぞれに合成する第１部分画像パターンと、
また前記１フレームの画像を垂直方向にｎ分割した各領域を別々に示す各部分画像からなる部分画像パターンであって前記ｎ分割した各領域のうち最下部の領域を示す部分画像からその上の領域を示す部分画像へと順に、前記生成したｎフレームの画像それぞれに合成する第２部分画像パターンと、
また前記１フレームの画像を水平方向にｎ分割した各領域を別々に示す各部分画像からなる部分画像パターンであって前記ｎ分割した各領域のうち最左部の領域を示す部分画像からその右の領域を示す部分画像へと順に、前記生成したｎフレームの画像それぞれに合成する第３部分画像パターンと、
また前記１フレームの画像を水平方向にｎ分割した各領域を別々に示す各部分画像からなる部分画像パターンであって前記ｎ分割した各領域のうち最右部の領域を示す部分画像からその左の領域を示す部分画像へと順に、前記生成したｎフレームの画像それぞれに合成する第４部分画像パターンと、
また前記１フレームの画像をある傾斜角度の方向にｎ分割した各領域を別々に示す各部分画像からなる部分画像パターンであって前記ｎ分割した各領域のうち一方の端の領域を示す部分画像から他方の端の領域を示す部分画像へと順に、前記生成したｎフレームの画像それぞれに合成する第５部分画像パターンと、
の何れかの部分画像パターンであることを特徴とする請求項１に記載の画像処理回路。
【請求項３】
前記パターン選択手段は、前記複数の部分画像パターンの中から１つの部分画像パターンをランダムに選択する際に、同一の部分画像パターンが連続して選択される回数を１回に制限する
ことを特徴とする請求項１に記載の画像処理回路。
【請求項４】
前記入力を受付けた各フレームの画像の間の動きベクトル量が、予め定められた動きベクトル量の閾値を超えるか否かを判定する動き量判定手段とを備え、
前記パターン選択手段は、前記入力を受付けた各フレームの画像の間の動きベクトル量が前記閾値を超えた場合には、当該ベクトル量が前記閾値を超えない場合に比べて、前記第１部分画像パターンの選択の割合を増加する
ことを特徴とする請求項２に記載の画像処理回路。
【請求項５】
１フレームの画像における異なる範囲にそれぞれが対応するｎ個の部分画像からなる部分画像パターンを複数記憶する部分画像パターン記憶手段を備えた、画像処理装置における画像処理方法であって、
入力された１フレームの画像からｎフレーム（ｎは２以上の整数）の同一の画像を生成するフレーム倍速処理と、
前記１フレームの画像が入力される度に、前記複数の部分画像パターンを予め決められた所定の順番に選択する選択処理、または前記複数の部分画像パターンの中から１つの部分画像パターンをランダムに選択する処理であって同一の部分画像パターンが連続して選択される回数を所定回数に制限する選択処理を行うパターン選択処理と、
前記生成したｎフレームの画像それぞれに、前記選択した部分画像パターンに含まれる各部分画像を一画像ずつ順に合成する部分画像合成処理と、
前記部分画像を合成したｎフレームの画像それぞれを表示装置へ出力する表示処理と、
を有することを特徴とする画像処理方法。
【請求項６】
前記部分画像パターンは、
前記１フレームの画像を垂直方向にｎ分割した各領域を別々に示す各部分画像からなる部分画像パターンであって前記ｎ分割した各領域のうち最上部の領域を示す部分画像からその下の領域を示す部分画像へと順に、前記生成したｎフレームの画像それぞれに合成する第１部分画像パターンと、
また前記１フレームの画像を垂直方向にｎ分割した各領域を別々に示す各部分画像からなる部分画像パターンであって前記ｎ分割した各領域のうち最下部の領域を示す部分画像からその上の領域を示す部分画像へと順に、前記生成したｎフレームの画像それぞれに合成する第２部分画像パターンと、
また前記１フレームの画像を水平方向にｎ分割した各領域を別々に示す各部分画像からなる部分画像パターンであって前記ｎ分割した各領域のうち最左部の領域を示す部分画像からその右の領域を示す部分画像へと順に、前記生成したｎフレームの画像それぞれに合成する第３部分画像パターンと、
また前記１フレームの画像を水平方向にｎ分割した各領域を別々に示す各部分画像からなる部分画像パターンであって前記ｎ分割した各領域のうち最右部の領域を示す部分画像からその左の領域を示す部分画像へと順に、前記生成したｎフレームの画像それぞれに合成する第４部分画像パターンと、
また前記１フレームの画像をある傾斜角度の方向にｎ分割した各領域を別々に示す各部分画像からなる部分画像パターンであって前記ｎ分割した各領域のうち一方の端の領域を示す部分画像から他方の端の領域を示す部分画像へと順に、前記生成したｎフレームの画像それぞれに合成する第５部分画像パターンと、
の何れかの部分画像パターンであることを特徴とする請求項５に記載の画像処理方法。
【請求項７】
前記パターン選択処理において、前記複数の部分画像パターンの中から１つの部分画像パターンをランダムに選択する際に、同一の部分画像パターンが連続して選択される回数を１回に制限する
ことを特徴とする請求項５に記載の画像処理方法。
【請求項８】
前記入力を受付けた各フレームの画像の間の動きベクトル量が、予め定められた動きベクトル量の閾値を超えるか否かを判定する動き量判定処理とを有し、
前記パターン選択処理において、前記入力を受付けた各フレームの画像の間の動きベクトル量が前記閾値を超えた場合には、当該ベクトル量が前記閾値を超えない場合に比べて、前記第１部分画像パターンの選択の割合を増加する
ことを特徴とする請求項６に記載の画像処理方法。
【請求項９】
請求項１から請求項４の何れかに記載の画像処理回路を備えた電気光学装置。
【請求項１０】
請求項１から請求項４の何れかに記載の画像処理回路を備えた電子機器。
【発明の詳細な説明】
【技術分野】
【０００１】
本発明は、ディスプレイに表示する映像のちらつきを防止する画像処理回路、画像処理方法、電気光学装置、電子機器に関する。
【背景技術】
【０００２】
液晶ディスプレイは映像信号における１フレームの各画像を当該ディスプレイ全面領域に順に表示している。そしてこのようにディスプレイ全面領域に１フレーム内の各画像を表示して一定期間画像を表示して保持し、また次のフレームの画像を表示して、この繰り返しの処理を早くすることにより映像を表示するディスプレイ装置を、ホールド型ディスプレイと呼ぶ。ここで一般に、ディスプレイ全面領域に時系列的に表示された前後の各フレームを観察したユーザは、当該前後のフレーム画像によって表示される映像に動きがある場合、前に表示されたフレームの画像の記憶の影響により後に表示されるフレームの画像がぼけて見える。従ってホールド型ディスプレイではこのぼけを解消するために、１フレームの間に映像の出ない期間を、当該１フレームの各画像が表示される期間の３０％〜５０％の間設ける。つまり１フレームの各画像が表示される期間の３０％〜５０％の間に、例えば黒一律の階調の画像をディスプレイ全面に表示する。これにより時系列的に前に表示されたフレームの画像の記憶が、ディスプレイを観察するユーザから削除する効果をおよぼし、これにより映像ぼけが低減することが知られている。
【０００３】
ところで、ホールド型ディスプレイにおける上述のような映像ぼけを低減するための技術では、通常、１フレームの各画像が表示される期間の３０％〜５０％の間にディスプレイ領域の全面が黒い画像を表示するため、映像が暗くなってしまう。従って、図９で示すように、ディスプレイの表示領域を複数に分割し、それぞれの分割領域に黒画像を順次挿入した画像を順に表示して１フレームを構成することで、映像が暗くなることを防ぐ技術が公開されている。なおこの技術では、１フレームが表示される時間内において、各分割領域のいずれかが一度は黒画像により表示されるので、つまり１フレーム期間中積分すると、ディスプレイの表示領域の全面に黒画像を一度表示したことと同じである。
【特許文献１】特開２００５−１０５７９号公報
【発明の開示】
【発明が解決しようとする課題】
【０００４】
しかしながら、ディスプレイの表示領域を複数に分割し、それぞれの分割領域に黒画像を順次挿入した別々の画像を順に表示して１フレームを構成するような上述の技術では、分割領域のそれぞれに黒画像が挿入された各画像からなる１つのパターンを繰り返してディスプレイに表示することになる。従って、図９で示すように黒画像の帯の画像が同じ軌跡で常に動くため、新たに画像のフリッカ（ちらつき）の現象が発生する可能性がある。
【０００５】
そこでこの発明は、ホールド型ディスプレイにおけるぼけを低減するために１フレームの間に映像の出ない期間を設ける従来の技術において、映像の明るさの低減を解消するとともにフリッカの発生を減少させることができる画像処理回路、画像処理方法、電気光学装置、電子機器を提供することを目的としている。
【課題を解決するための手段】
【０００６】
上記目的を達成するために、本発明は、入力された１フレームの画像からｎフレーム（ｎは２以上の整数）の同一の画像を生成するフレーム倍速手段と、前記１フレームの画像における異なる範囲にそれぞれが対応するｎ個の部分画像からなる部分画像パターンを複数記憶する部分画像パターン記憶手段と、前記１フレームの画像が入力される度に、前記複数の部分画像パターンを予め決められた所定の順番に選択する選択処理、または前記複数の部分画像パターンの中から１つの部分画像パターンをランダムに選択する処理であって同一の部分画像パターンが連続して選択される回数を所定回数に制限する選択処理を行うパターン選択手段と、前記生成したｎフレームの画像それぞれに、前記選択した部分画像パターンに含まれる各部分画像を一画像ずつ順に合成する部分画像合成手段と、前記部分画像を合成したｎフレームの画像それぞれを表示装置へ出力する表示手段と、を備えることを特徴とする画像処理回路である。本発明によれば、『複数の部分画像パターンを予め決められた所定の順番に選択する処理』の場合には同じ部分画像パターンが継続して用いられることがなくなり、また『ランダムに選択する処理であって同一の部分画像パターンが連続して選択される回数を所定回数に制限する選択処理』の場合にも同一の部分画像パターンが連続して選択される確率が減るので、これにより表示装置における映像のフリッカの現象が低減される。また、ディスプレイの表示領域を複数に分割し、それぞれの分割領域に黒画像を挿入した画像を順に表示して１フレームを構成する処理を行っているので、フリッカの現象の低減と同時に、映像のぼけの低減および映像の明るさの低減の解消を行うことができる。
【０００７】
また本発明は上述の画像処理回路において、前記部分画像パターンは、前記１フレームの画像を垂直方向にｎ分割した各領域を別々に示す各部分画像からなる部分画像パターンであって前記ｎ分割した各領域のうち最上部の領域を示す部分画像からその下の領域を示す部分画像へと順に、前記生成したｎフレームの画像それぞれに合成する第１部分画像パターンと、また前記１フレームの画像を垂直方向にｎ分割した各領域を別々に示す各部分画像からなる部分画像パターンであって前記ｎ分割した各領域のうち最下部の領域を示す部分画像からその上の領域を示す部分画像へと順に、前記生成したｎフレームの画像それぞれに合成する第２部分画像パターンと、また前記１フレームの画像を水平方向にｎ分割した各領域を別々に示す各部分画像からなる部分画像パターンであって前記ｎ分割した各領域のうち最左部の領域を示す部分画像からその右の領域を示す部分画像へと順に、前記生成したｎフレームの画像それぞれに合成する第３部分画像パターンと、また前記１フレームの画像を水平方向にｎ分割した各領域を別々に示す各部分画像からなる部分画像パターンであって前記ｎ分割した各領域のうち最右部の領域を示す部分画像からその左の領域を示す部分画像へと順に、前記生成したｎフレームの画像それぞれに合成する第４部分画像パターンと、また前記１フレームの画像をある傾斜角度の方向にｎ分割した各領域を別々に示す各部分画像からなる部分画像パターンであって前記ｎ分割した各領域のうち一方の端の領域を示す部分画像から他方の端の領域を示す部分画像へと順に、前記生成したｎフレームの画像それぞれに合成する第５部分画像パターンと、の何れかの部分画像パターンであることを特徴とする。
【０００８】
また本発明は上述の画像処理回路において、前記パターン選択手段は、前記複数の部分画像パターンの中から１つの部分画像パターンをランダムに選択する際に、同一の部分画像パターンが連続して選択される回数を１回に制限することを特徴とする。これにより、フリッカの現象の低減を行うことができる。
【０００９】
また本発明は上述の画像処理回路において、前記入力を受付けた各フレームの画像の間の動きベクトル量が、予め定められた動きベクトル量の閾値を超えるか否かを判定する動き量判定手段とを備え、前記パターン選択手段は、前記入力を受付けた各フレームの画像の間の動きベクトル量が前記閾値を超えた場合には、当該ベクトル量が前記閾値を超えない場合に比べて、前記第１部分画像パターンの選択の割合を増加することを特徴とする。本発明によれば、１フレームの画像を複数分割した各領域のうち最上部の領域を示す部分画像からその下の領域を示す部分画像へと順に合成する部分画像パターンの選択の割合を増加することによって、さらにフリッカの現象の低減を行うことができる。
【００１０】
また本発明は、１フレームの画像における異なる範囲にそれぞれが対応するｎ個の部分画像からなる部分画像パターンを複数記憶する部分画像パターン記憶手段を備えた、画像処理装置における画像処理方法であって、入力された１フレームの画像からｎフレーム（ｎは２以上の整数）の同一の画像を生成するフレーム倍速処理と、前記１フレームの画像が入力される度に、前記複数の部分画像パターンを予め決められた所定の順番に選択する選択処理、または前記複数の部分画像パターンの中から１つの部分画像パターンをランダムに選択する処理であって同一の部分画像パターンが連続して選択される回数を所定回数に制限する選択処理を行うパターン選択処理と、前記生成したｎフレームの画像それぞれに、前記選択した部分画像パターンに含まれる各部分画像を一画像ずつ順に合成する部分画像合成処理と、前記部分画像を合成したｎフレームの画像それぞれを表示装置へ出力する表示処理と、を有することを特徴とする画像処理方法である。
【００１１】
また本発明は、上述の画像処理方法において、前記部分画像パターンは、前記１フレームの画像を垂直方向にｎ分割した各領域を別々に示す各部分画像からなる部分画像パターンであって前記ｎ分割した各領域のうち最上部の領域を示す部分画像からその下の領域を示す部分画像へと順に、前記生成したｎフレームの画像それぞれに合成する第１部分画像パターンと、また前記１フレームの画像を垂直方向にｎ分割した各領域を別々に示す各部分画像からなる部分画像パターンであって前記ｎ分割した各領域のうち最下部の領域を示す部分画像からその上の領域を示す部分画像へと順に、前記生成したｎフレームの画像それぞれに合成する第２部分画像パターンと、また前記１フレームの画像を水平方向にｎ分割した各領域を別々に示す各部分画像からなる部分画像パターンであって前記ｎ分割した各領域のうち最左部の領域を示す部分画像からその右の領域を示す部分画像へと順に、前記生成したｎフレームの画像それぞれに合成する第３部分画像パターンと、また前記１フレームの画像を水平方向にｎ分割した各領域を別々に示す各部分画像からなる部分画像パターンであって前記ｎ分割した各領域のうち最右部の領域を示す部分画像からその左の領域を示す部分画像へと順に、前記生成したｎフレームの画像それぞれに合成する第４部分画像パターンと、また前記１フレームの画像をある傾斜角度の方向にｎ分割した各領域を別々に示す各部分画像からなる部分画像パターンであって前記ｎ分割した各領域のうち一方の端の領域を示す部分画像から他方の端の領域を示す部分画像へと順に、前記生成したｎフレームの画像それぞれに合成する第５部分画像パターンと、の何れかの部分画像パターンであることを特徴とする。
【００１２】
また本発明は、上述の画像処理方法において、前記パターン選択処理は、前記複数の部分画像パターンの中から１つの部分画像パターンをランダムに選択する際に、同一の部分画像パターンが連続して選択される回数を１回に制限することを特徴とする。
【００１３】
また本発明は、上述の画像処理方法において、前記入力を受付けた各フレームの画像の間の動きベクトル量が、予め定められた動きベクトル量の閾値を超えるか否かを判定する動き量判定処理とを有し、前記パターン選択処理において、前記入力を受付けた各フレームの画像の間の動きベクトル量が前記閾値を超えた場合には、当該ベクトル量が前記閾値を超えない場合に比べて、前記第１部分画像パターンの選択の割合を増加することを特徴とする。
【００１４】
また本発明は、上述の画像処理方法において、上述の画像処理回路を備えた電気光学装置である。
【００１５】
また本発明は、上述の画像処理方法において、上述の画像処理回路を備えた電子機器である。
【発明を実施するための最良の形態】
【００１６】
以下、本発明の一実施形態による画像処理装置を図面を参照して説明する。図１は同実施形態による画像処理装置の構成を示すブロック図である。この図において、符号１は画像処理装置である。そして画像処理装置１はフレーム倍速処理部１１、パターン選択部１２、パターン記憶部１３、合成処理部１４、表示処理部１５、動き量検出部１６を備えている。
【００１７】
フレーム倍速処理部１１は入力を受付けたデジタル映像信号における１フレームの画像からｎフレーム（ｎは２以上の整数）の同一の画像を生成する処理（この処理をｎ倍速処理という）を行う。またパターン記憶部１３は、１フレームの画像における異なるそれぞれの範囲を示す複数ｎの各部分画像からなる部分画像パターンであってそれら各部分画像が同一階調（最低階調値（黒）、最高階調値（白）、ある一定の階調値など）である部分画像パターンの情報を複数記憶している。またパターン選択部１２は、１フレームの画像が入力される度に、複数の部分画像パターンを予め決められた所定の順番に選択する処理を行う選択処理、または複数の部分画像パターンの中から１つの部分画像パターンをランダムに選択する処理であって同一の部分画像パターンが連続して選択される回数を所定回数に制限する選択処理を行う。また合成処理部１４は、フレーム倍速処理部１１で生成された複数ｎの画像それぞれに、パターン選択部１２で選択した部分画像パターンに含まれる各部分画像を一画像ずつ順に合成する処理を行う。また表示処理部１５は部分画像を合成した複数ｎの画像それぞれを表示装置へ表示する処理を行う。また動き量検出部１６は入力を受付けたデジタル映像信号において時系列的に前後の各フレームの画像の間の動きベクトル量を算出し、当該動きベクトル量が閾値を超えたか否かを判定する処理を行う。
【００１８】
そして画像処理装置１はこれらの各処理部の処理によって、ホールド型ディスプレイにおけるぼけを低減するために１フレームの間に映像の出ない期間を設けてその画像を表示るとともに、その際に、表示装置で表示される映像の明るさの低減を解消し、またフリッカの発生を減少させる。
【００１９】
図２は部分画像パターンを示す図である。
【００２０】
次に図２を用いてパターン記憶部の記憶する部分画像パターンについて説明する。
【００２１】
まず、図２に示す部分画像パターンＡは、１フレームの画像を垂直方向に４分割した各領域を別々に示す各部分画像からなる部分画像パターンであって４分割した各領域のうち最上部の領域を示す部分画像からその下の領域を示す部分画像へと順に、フレーム倍速処理部１１で生成した４つの画像それぞれに合成する部分画像パターンである。
【００２２】
また部分画像パターンＢは、１フレームの画像を垂直方向に４分割した各領域を別々に示す各部分画像からなる部分画像パターンであって４分割した各領域のうち最下部の領域を示す部分画像からその上の領域を示す部分画像へと順に、フレーム倍速処理部１１で生成した４つの画像それぞれに合成する部分画像パターンである。
【００２３】
また部分画像パターンＣは、１フレームの画像を水平方向に４分割した各領域を別々に示す各部分画像からなる部分画像パターンであって４分割した各領域のうち最左部の領域を示す部分画像からその右の領域を示す部分画像へと順に、フレーム倍速処理部１１で生成した４つの画像それぞれに合成する部分画像パターンである。
【００２４】
また部分画像パターンＤは、１フレームの画像を水平方向に４分割した各領域を別々に示す各部分画像からなる部分画像パターンであって４分割した各領域のうち最右部の領域を示す部分画像からその左の領域を示す部分画像へと順に、フレーム倍速処理部１１で生成した４つの画像それぞれに合成する部分画像パターンである。
【００２５】
また部分画像パターンＥは、１フレームの画像を傾斜をつけた右下方向と垂直に４分割した各領域を別々に示す各部分画像からなる部分画像パターンであって４分割した各領域のうち左上端の領域を示す部分画像から右下端の領域を示す部分画像へと順に、フレーム倍速処理部１１で生成した４つの画像それぞれに合成する部分画像パターンである。
【００２６】
また部分画像パターンＦは、１フレームの画像を傾斜をつけた右下方向と垂直に４分割した各領域を別々に示す各部分画像からなる部分画像パターンであって４分割した各領域のうち右下端の領域を示す部分画像から左上端の領域を示す部分画像へと順に、フレーム倍速処理部１１で生成した４つの画像それぞれに合成する部分画像パターンである。
【００２７】
パターン選択部１２はパターン記憶部１３に記録されている上述のＡ〜Ｆの部分画像パターンから１つの部分画像パターンを選択することとなる。
【００２８】
図３は本実施形態による画像処理装置の第１の処理フローを示す図である。
【００２９】
次に本実施形態による画像処理装置の第１の実施形態について説明する。
【００３０】
まず、デジタル映像信号のうち１フレームの画像の信号が入力されると、フレーム倍速処理部１１はメモリ等に当該画像を記憶した上で、メモリから当該画像を４回読み出すことで４フレーム分の同一の画像を生成する（ステップＳ１）。またこの時、パターン選択部１２は１フレームの画像の信号の入力を検出すると、パターン記憶部１３に記録されているＡ〜Ｆの６つの部分画像パターンの中から、１つの部分画像パターンを選択する（ステップＳ２）。ここでパターン選択部１２は、この部分画像パターンの選択において、１フレームの画像が入力される度に、複数の部分画像パターンを予め決められた所定の順番に選択する処理を行うか、または複数の部分画像パターンの中から１つの部分画像パターンをランダムに選択する処理であって同一の部分画像パターンが連続して選択される回数を所定回数に制限する選択処理を行う。なお、同一の部分画像パターンが連続して選択される回数を所定回数に制限する場合の当該所定回数は、表示装置の観察者が映像を観察した際に感じるフリッカの度合によって任意に設定すればよい。また複数の部分画像パターンの中から１つの部分画像パターンをランダムに選択する場合には、同一の部分画像パターンの連続した選択を必ず避ける処理を行うようにしてもよい。つまりこの場合、同一の部分画像パターンが連続して選択される回数の制限は１回である。
【００３１】
そして次に合成処理部１４は、パターン選択部１２で選択された部分画像パターンを構成する４つの部分画像それぞれを、フレーム倍速処理部１１で生成された４つの画像に一つずつ順に合成して（ステップＳ３）、表示処理部１５へ出力する。そして、表示処理部１５が部分画像の合成された１フレーム中の４つの画像を順に表示装置へ出力する（ステップＳ４）ことにより、表示装置で映像が表示される。また画像処理装置１は、次のフレームの入力を受付けたか否かを判定し（ステップＳ５）、次のフレームの入力を受付けた場合には、当該入力を受付けたデジタル映像信号の各フレームの画像について、上述のステップＳ１〜ステップＳ４の処理を繰り返す。
【００３２】
図４は第１の実施形態における画像処理装置の処理概要を示す図である。
【００３３】
図４においては第Ｎフレームと第Ｎ＋１フレームにおける画像処理装置の処理概要を示している。第Ｎフレームにおいては当該第Ｎフレームにおける画像に基づいて、当該画像と同一の画像を４つ生成して、当該生成したそれぞれの画像に部分画像パターンＡの各部分画像を一つずつ順に合成している。また第Ｎ＋１フレームにおいても同様に、第Ｎ＋１フレームにおける画像に基づいて、当該画像と同一の画像を４つ生成して、当該生成したそれぞれの画像に部分画像パターンＢの各部分画像を一つずつ順に合成している。合成する部分画像パターンはパターン選択部１２によって選択されたものである。そして、表示処理部１５の処理によって、第Ｎフレームと第Ｎ＋１フレームに基づいて処理された合成後の画像（ａ）〜（ｈ）が時系列に順に表示装置に出力される。
【００３４】
ここで従来技術の例で述べたように、ディスプレイの表示領域を複数に分割し、それぞれの分割領域に黒画像を挿入した別々の画像を順に表示して１フレームを構成することによって映像のぼけの低減と画面の明るさの低減を行っていたが、当該技術では、図９で示すように黒画像の帯の画像が同じ軌跡で常に動くため、新たに画像のフリッカ（ちらつき）の現象が発生してしまう。従って、本実施形態で示したように、画像処理装置１における部分画像パターンの選択において、１フレームの画像が入力される度に、複数の部分画像パターンを予め決められた所定の順番に選択する処理を行うか、または複数の部分画像パターンの中から１つの部分画像パターンをランダムに選択する処理であって同一の部分画像パターンが連続して選択される回数を所定回数に制限する選択処理を行っている。これにより、『複数の部分画像パターンを予め決められた所定の順番に選択する処理』の場合には同じ部分画像パターンが継続して用いられることがなくなり、また『ランダムに選択する処理であって同一の部分画像パターンが連続して選択される回数を所定回数に制限する選択処理』の場合にも同一の部分画像パターンが連続して選択される確率が減るので、表示装置における映像のフリッカの現象が低減される。また従来と同様に、ディスプレイの表示領域を複数に分割し、それぞれの分割領域に黒画像を挿入した画像を順に表示して１フレームを構成する処理を行っているので、フリッカの現象の低減と同時に、映像のぼけの低減および映像の明るさの低減の解消を行うことができる。
【００３５】
図５は本実施形態による画像処理装置の第２の処理フローを示す図である。
【００３６】
次に本実施形態による画像処理装置の第２の実施形態について説明する。
【００３７】
第２の実施形態は図１の画像処理装置で示した動き量検出部１６の処理を加えた場合の例である。
【００３８】
まず、デジタル映像信号のうち１フレームの画像の信号の入力を受付けると、フレーム倍速処理部１１は当該画像をもとに４フレーム分の同一の画像を生成する（ステップＳ１０１）。またこの時、動き量検出部１６は、時系列的に前後の連続した各フレームの画像の間の動きベクトル量を算出する（ステップＳ１０２）。この動きベクトル量の算出は公知の技術である。そして動き量検出部１６は算出した動きベクトル量が、予め定められた動きベクトル量の閾値を超えたか否かを判定する（ステップＳ１０３）。そして動き量検出部１６は、動きベクトル量が閾値を超えた場合には、パターン選択部１２へ閾値を超えたことを示す信号を出力する。
【００３９】
パターン選択部１２は、動き量検出部１６から閾値を超えたことを示す信号の入力を受付けると、動きベクトル量が閾値を超えない場合に比べて、複数の部分画像パターンからの部分画像パターンＡの選択の割合を増加させた選択の処理を行う（ステップＳ１０４）。またパターン選択部１２は、動き量検出部１６から閾値を超えたことを示す信号が出力されない場合には、第１の実施形態で示した部分画像パターンの選択処理を行う（ステップＳ１０５）。そして表示処理部１５が表示装置に画像を出力すると（ステップＳ１０６）、次のフレームの入力を受付けたか否かを判定し（ステップＳ１０７）、次のフレームの入力を受付けた場合には、上述のステップＳ１０１〜１０６の処理を繰り返す。
【００４０】
図６は第２の実施形態における画像処理装置の処理概要を示す図である。
【００４１】
この図が示すように動きベクトル量に閾値を設け、この算出した動きベクトル量が閾値を超えた場合には、動きベクトル量が閾値を超えない場合に比べて、複数の部分画像パターンからの部分画像パターンＡの選択の割合を増加させる処理を行う。なお、図６においては閾値を超えた場合に選択したパターンを全て部分画像パターンＡとして示しているが、これは一例であり、閾値を超える前の部分画像パターンＡの選択される割合（確率）を算出しておき、閾値を超えた場合には、複数の部分画像パターンからの部分画像パターンＡの選択の割合を増加させればよい。この増加後の割合は予め決められた値であってもよい。
【００４２】
ここで一般的に人間は左右に動くものには敏感だが、上下に動くものに対する反応が鈍いということが知られている。従って、４分割した各領域のうち最上部の領域を示す部分画像からその下の領域を示す部分画像へと順に合成する部分画像パターンＡの選択の割合を増加することによって、さらにフリッカの現象の低減を行うことができる。
【００４３】
なお、図７は、画像処理装置のハードウェア構成例を示す図である。
【００４４】
画像処理装置１は、図７で示すようなハードウェア構成を有している。ハードウェア構成として、ＣＰＵ（Central Processing Unit）、ＲＡＭ（Random Access Memory）／ＲＯＭ（Read Only Memory）、ＨＤＤ（Hard Disk Drive）、Ｉ／Ｆ（Interface）などを備える。そして、画像処理装置１は、ＣＰＵがＲＡＭ／ＲＯＭやＨＤＤに記録されているプログラムを読み取って、フレーム倍速処理部１１、パターン選択部１２、合成処理部１４、表示処理部１５、動き量検出部１６の各処理部の処理を行なう。またパターン記憶部１３はＨＤＤにより構成されている。
【００４５】
図８は画像処理回路の構成例を示す図である。
【００４６】
この画像処理回路は、上述した画像処理装置の処理を画像処理回路にて行わせる場合の構成を示しており、上述の処理を画像処理装置の代わりに画像処理回路で行う場合には、当該画像処理回路が、フレーム倍速処理回路１１０、パターン選択回路１２０、パターン記憶部１３０、合成処理回路１４０、表示処理回路１５０、動き量検出回路１６０を備えていればよい。それぞれの回路で行われる処理は、図１で示した対応する処理部の処理と同様である。この画像処理回路は電気光学装置や電子機器に備えられる。
【００４７】
以上、本発明の実施形態について説明したが、本発明によれば、『複数の部分画像パターンを予め決められた所定の順番に選択する処理』の場合には同じ部分画像パターンが継続して用いられることがなくなり、また『ランダムに選択する処理であって同一の部分画像パターンが連続して選択される回数を所定回数に制限する選択処理』の場合にも同一の部分画像パターンが連続して選択される確率が減るので、これにより表示装置における映像のフリッカの現象が低減される。また、ディスプレイの表示領域を複数に分割し、それぞれの分割領域に黒画像を挿入した画像を順に表示して１フレームを構成する処理を行っているので、フリッカの現象の低減と同時に、映像のぼけの低減および映像の明るさの低減の解消を行うことができる。
【００４８】
また本発明によれば、１フレームの画像を複数分割した各領域のうち最上部の領域を示す部分画像からその下の領域を示す部分画像へと順に合成する部分画像パターンの選択の割合を増加することによって、さらにフリッカの現象の低減を行うことができる。
【００４９】
なお上述の画像処理装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５１】
【図１】画像処理装置の構成を示すブロック図である。
【図２】部分画像パターンを示す図である。
【図３】画像処理装置の第１の処理フローを示す図である。
【図４】第１の実施形態における画像処理装置の処理概要を示す図である。
【図５】画像処理装置の第２の処理フローを示す図である。
【図６】第２の実施形態における画像処理装置の処理概要を示す図である。
【図７】画像処理装置のハードウェア構成例を示す図である。
【図８】画像処理回路の構成例を示す図である。
【図９】映像ぼけと映像が暗くなることを防ぐための従来技術を示す図である。
【符号の説明】
【００５２】
１・・・画像処理装置，  １１・・・フレーム倍速処理部，  １２・・・パターン選択部，  １３・・・パターン記憶部，  １４・・・合成処理部，  １５・・・表示処理部，  １６・・・動き量検出部
【図１】
2008064831.tif 000003
【図２】
2008064831.tif 000004
【図３】
2008064831.tif 000005
【図４】
2008064831.tif 000006
【図５】
2008064831.tif 000007
【図６】
2008064831.tif 000008
【図７】
2008064831.tif 000009
【図８】
2008064831.tif 000010
【図９】
2008064831.tif 000011